(57)【特許請求の範囲】
【請求項１】
撮影レンズを通して撮像素子により被写体像を撮像し、画像データを記録媒体に記録するデジタルカメラにおいて、
少なくとも第１のＣＰＵを有し、焦点検出、露出調整およびレンズ駆動の少なくとも一つを制御するカメラ制御手段と、
前記カメラ制御手段を使用しない条件を判別する判別手段と、
前記判別手段が前記条件を判別すると前記カメラ制御手段を待機状態にする待機制御手段と、
少なくとも第２のＣＰＵを有し、前記カメラ制御手段が前記待機状態であるか否かにかかわらず、使用者の操作による入力信号を常時受け付け、前記入力信号に基づいて制御情報を前記待機制御手段に送信する操作制御手段とを備えることを特徴とするデジタルカメラ。
【請求項２】
撮影レンズを通して撮像素子により被写体像を撮像し、画像データを記録媒体に記録するデジタルカメラにおいて、
少なくとも第１のＣＰＵを有し、焦点検出、露出調整およびレンズ駆動の少なくとも一つを制御するカメラ制御手段と、
メニュー設定モード時に前記デジタルカメラの動作を設定するための設定メニューを表示する表示器と、
少なくとも第２のＣＰＵを有し、前記表示器に画像を表示させる画像処理制御手段と、
前記メニュー設定モードが設定されているときに前記カメラ制御手段を待機状態にする待機制御手段と、
少なくとも第３のＣＰＵを有し、前記カメラ制御手段が前記待機状態であるか否かにかかわらず、使用者の操作による入力信号を常時受け付け、前記入力信号に基づいて制御情報を前記待機制御手段に送信する操作制御手段とを備えることを特徴とするデジタルカメラ。
【請求項３】
請求項１または２に記載のデジタルカメラにおいて、
前記待機制御手段は、前記カメラ制御手段が前記待機状態の時に、前記操作制御手段から前記制御情報が送信されるのに応じて、前記カメラ制御手段の前記待機状態を解除するように制御することを特徴とするデジタルカメラ。
【発明の詳細な説明】
【０００１】
【発明の属する技術分野】
本発明は、被写体を電子的に圧縮した画像データとして記憶するデジタルカメラに関する。
【０００２】
【従来の技術】
従来から、撮影レンズを駆動して焦点検出を行う焦点検出／調整装置と、撮影レンズを通過する被写体像を撮像して画像データを出力するＣＣＤのような撮像装置と、撮像装置から出力される画像データに対してホワイトバランスやγ補正などの画像処理を施す画像処理回路と、画像処理後のデータをＪＰＥＧなどの方式で圧縮してフラッシュメモリなどの記憶媒体に記憶する圧縮回路と、画像処理後のデータを表示するモニタと、各操作スイッチ類が操作されたか否かをチェックするスイッチ制御回路とを備えるデジタルカメラが知られている。
【０００３】
【発明が解決しようする課題】
このような従来のデジタルカメラでは、画像処理後のデータを圧縮して記録するフラッシュメモリなどの記憶媒体の記憶容量が大きいときや、画像処理後のデータを表示するＬＣＤモニタなどが大型になると、デジタルカメラ内部の消費電力が増加することにより、電池による連続使用時間が短くなるという問題があった。とくに、フラッシュメモリなどの記録媒体の記録容量が数十メガバイト以上になると問題になりやすい。
【０００４】
本発明の目的は、デジタルカメラ内の消費電力を抑えたデジタルカメラを提供することにある。
【０００５】
【課題を解決するための手段】
（１）請求項１に記載の発明は、撮影レンズを通して撮像素子により被写体像を撮像し、画像データを記録媒体に記録するデジタルカメラに適用され、少なくとも第１のＣＰＵを有し、焦点検出、露出調整およびレンズ駆動の少なくとも一つを制御するカメラ制御手段と、カメラ制御手段を使用しない条件を判別する判別手段と、判別手段が条件を判別するとカメラ制御手段を待機状態にする待機制御手段と、少なくとも第２のＣＰＵを有し、カメラ制御手段が待機状態であるか否かにかかわらず、使用者の操作による入力信号を常時受け付け、入力信号に基づいて制御情報を待機制御手段に送信する操作制御手段とを備えることを特徴とする。
（２）請求項２に記載の発明は、撮影レンズを通して撮像素子により被写体像を撮像し、画像データを記録媒体に記録するデジタルカメラに適用され、少なくとも第１のＣＰＵを有し、焦点検出、露出調整およびレンズ駆動の少なくとも一つを制御するカメラ制御手段と、メニュー設定モード時にデジタルカメラの動作を設定するための設定メニューを表示する表示器と、少なくとも第２のＣＰＵを有し、表示器に画像を表示させる画像処理制御手段と、メニュー設定モードが設定されているときにカメラ制御手段を待機状態にする待機制御手段と、少なくとも第３のＣＰＵを有し、カメラ制御手段が待機状態であるか否かにかかわらず、使用者の操作による入力信号を常時受け付け、入力信号に基づいて制御情報を待機制御手段に送信する操作制御手段とを備えることを特徴とする。
（３）請求項３に記載の発明は、請求項１または２に記載のデジタルカメラにおいて、待機制御手段は、カメラ制御手段が待機状態の時に、操作制御手段から制御情報が送信されるのに応じて、カメラ制御手段の待機状態を解除するように制御することもできる。
【０００６】
なお、本発明の構成を説明する上記課題を解決するための手段の項では、本発明を分かり易くするために実施の形態の図を用いたが、これにより本発明が実施の形態に限定されるものではない。
【０００７】
【発明の実施の形態】
以下、図面を参照して本発明の実施の形態を説明する。図１は、本発明の一実施の形態によるデジタルスチルカメラの収納時、および携帯時の外観を示し、(a)が上から見た図、(b)が後ろから見た図である。また、図２は図１に示したカメラの通常撮影時の外観を示し、(a)が前から見た図、(b)が上から見た図、(c)が後ろから見た図である。この実施の形態によるデジタルスチルカメラ１は、撮影ズームレンズ２を含むレンズユニット１ａとＬＣＤモニター３を含むモニターユニット１ｂとに分割され、両ユニット１ａ、１ｂが相対的に回転可能に連結されている。
【０００８】
収納時または携帯時には、図１に示すように、レンズユニット１ａとモニターユニット１ｂとがフラットになるようにレンズユニット１ａを回転する。また、通常撮影時には、図２に示すように、撮影ズームレンズ２が被写体方向を向くようにレンズユニット１ａを回転する。このとき、モニターユニット１ｂはＬＣＤモニター３が撮影者の方向を向くように保持されるので、撮影者はＬＣＤモニター３を見ながら撮影を行うことができる。
【０００９】
レンズユニット１ａは、撮影ズームレンズ２の他に電子閃光装置４、ファインダー窓５、赤目軽減・セルフタイマー表示ランプ６、ファインダー接眼窓７などを備えている。一方、モニターユニット１ｂは、ＬＣＤモニター３の他にメインスイッチ８、レリーズボタン９、表示パネル１０、閃光撮影モードボタン１１、ＡＦモードボタン１２、画質モードボタン１３、ズーム切換えボタン１４、モニターボタン１５、メニューボタン１６、選択ダイヤル１７などを備えている。
【００１０】
図３は、この実施の形態によるデジタルスチルカメラ１の回路ブロックを示す図である。このデジタルスチルカメラ１は、焦点検出／調整処理および測光処理などを制御するメインＣＰＵ２１と、画像処理および画像表示処理を制御する画像処理ＣＰＵ２９と、各スイッチからの入力信号を制御するスイッチ制御ＣＰＵ４１とにより制御されている。スイッチ制御ＣＰＵ４１は、デジタルスチルカメラ１の各スイッチが操作されたときはその情報をメインＣＰＵ２１へ送り、ズーム切換えボタン１４が操作されたときはズームレンズ駆動装置３７を制御して撮影ズームレンズ２を駆動するように構成されている。
【００１１】
このデジタルスチルカメラ１は、メインスイッチ８の切換え動作により撮影モード(REC)と再生モード(PLAY)とが選択される。メインスイッチ８は、オフ、ＲＥＣ、ＰＬＡＹの少なくとも３つの位置に切換えられる。撮影モードは撮像した被写体像を画像データとして記録する動作モードであり、再生モードは記録した画像データを読み出してＬＣＤモニター３に表示する動作モードである。そして、両動作モードにおいて、それぞれカメラ動作を選択／設定するためのメニュー設定モードが設けられている。
【００１２】
−撮影モード−
メインスイッチ８を撮影モード位置に切換え操作すると、デジタルスチルカメラ１は電源オンとともに撮影モードに切換えられる。撮影モードに切換えられると、撮影ズームレンズ２に入射する被写体光が撮像装置であるＣＣＤ２６上で結像され、画像信号がアナログ処理回路２７を経てＡ／Ｄ変換回路２８へ送られてデジタル信号に変換される。デジタル変換された信号は、たとえば、ＡＳＩＣとして構成される画像処理ＣＰＵ２９に導かれ、輪郭補償、ガンマ補正等の画像前処理が行われて一旦バッファメモリ３０に格納される。バッファメモリ３０に記憶された画像データは、画像処理ＣＰＵ２９に制御される表示画像作成回路３１により表示用の画像データに処理され、ＬＣＤモニター３にスルー画面と呼ばれる撮影モニタ画面が表示される。スルー画面は、以上の動作が繰り返し行われることにより、撮影ズームレンズ２に入射される被写体光に基づいて所定の間隔で更新される。
【００１３】
スイッチ制御ＣＰＵ４１には、レリーズボタン９に連動する半押しスイッチ２２と全押しスイッチ２３（以下、レリーズスイッチ２３と呼ぶ）から半押し信号と全押し信号がそれぞれ入力される。半押しスイッチ２２が操作されて半押し信号が入力されると、スイッチ制御ＣＰＵ４１はその情報をメインＣＰＵ２１に伝え、メインＣＰＵ２１からの指令により焦点検出／調整装置３６が撮影ズームレンズ２の焦点検出状態を検出する。そして、撮影ズームレンズ２に入射する被写体光が撮像装置であるＣＣＤ２６上で結像するように撮影ズームレンズ２を合焦位置へ駆動する。また、タイミングジェネレータ２４とドライバ２５を介してＣＣＤ２６が駆動制御され、タイミングジェネレータ２４によりアナログ処理回路２７とＡ／Ｄ変換回路２８の動作タイミングが制御される。
【００１４】
なお、デジタルスチルカメラ１には「シングルＡＦモード」と「コンティニュアスＡＦモード」の２つのＡＦ動作モードが設けられている。「シングルＡＦモード」に設定されているときは、上述したように半押しスイッチ２２が操作されることにより焦点検出／調整装置３６による焦点検出動作が行われ、「コンティニュアスＡＦモード」に設定されているときは、メインスイッチ８が撮影モード位置に切換え操作されると、焦点検出／調整装置３６による焦点検出動作が常に行われる。
【００１５】
ズーム切換えボタン１４が操作されると、スイッチ制御ＣＰＵ４１からの指令によりズームレンズ駆動装置３７が撮影ズームレンズ２を駆動し、焦点距離を変化させる。ズームボタン１４はシーソー形のスイッチからなり、望遠側（Ｔ）と広角側（Ｗ）のうち、いずれか押されている側に焦点距離が移動される。測光装置３８は、被写体の輝度を測定するもので、レリーズボタン９に連動する半押しスイッチ２２による半押し信号が、スイッチ制御ＣＰＵ４１を介してメインＣＰＵ２１に入力されたときに測光を行う。
【００１６】
半押しスイッチ２２のオン操作に引続いてレリーズスイッチ２３がオン操作されると、測光装置３８による測光結果と閃光撮影モードボタン１１によりあらかじめ設定されたモード設定とに応じて閃光装置４が発光し、撮影ズームレンズ２からの被写体光がＣＣＤ２６の受光面上で結像することにより、ＣＣＤ２６には被写体像の明るさに応じた信号電荷が蓄積される。ＣＣＤ２６に蓄積された信号電荷はドライバ２５により吐き出され、ＡＧＣ回路やＣＤＳ回路などを含むアナログ信号処理回路２７に入力される。アナログ信号処理回路２７でアナログ画像信号に対してゲインコントロール、雑音除去等のアナログ処理が施された後、Ａ／Ｄ変換回路２８によってデジタル信号に変換される。
【００１７】
デジタル変換された信号は、上述した画像処理ＣＰＵ２９に導かれ、そこで輪郭補償、ガンマ補正等の画像前処理が行われて一旦バッファメモリ３０に格納される。そして、メインＣＰＵ２１とバッファメモリ３０との間で画像データの授受を行い、格納されている画像データからホワイトバランス調整値を求め、この調整値に基づいて画像処理ＣＰＵ２９でホワイトバランス調整が行われ、ホワイトバランス調整後の画像データが再びバッファメモリ３０へ格納される。
【００１８】
バッファメモリ３０に記憶された画像データは、画像処理ＣＰＵ２９に制御される表示画像作成回路３１により表示用の画像データに処理され、この画像データがＬＣＤモニター３にフリーズ画面と呼ばれる撮影画面として表示される。
【００１９】
上述したような画像前処理が行なわれた画像データに対してはさらに、画像処理ＣＰＵ２９によりＪＰＥＧ圧縮のためのフォーマット処理（画像後処理）が行なわれ、画像処理ＣＰＵ２９により制御される圧縮回路３２によりＪＰＥＧ方式で所定の比率にデータ圧縮を受け、メインＣＰＵ２１により所定のデータ名を付与されてリアルタイムクロック３５からのタイム情報とともに、フラッシュメモリ等の記録媒体（ＰＣカード、ＣＦカードなど）３４に記録される。そして、記録媒体３４への記録が終了して次の撮影が可能になると、ＬＣＤモニター３に表示されているフリーズ画面表示を停止して、上述したスルー画面表示に切換える。また、後述するように、フリーズ画面表示の延長も可能である。
【００２０】
この他、メインＣＰＵ２１には表示パネルドライバー３３が接続され、閃光撮影モードボタン１１による閃光装置４の発光モード設定、ＡＦモードボタン１２による距離範囲設定、画質モードボタン１３による圧縮率設定の状態が表示パネル１０に表示される。
【００２１】
図４は、上述したように動作するデジタルカメラにおける画像処理ＣＰＵ２９の詳細を示すブロック図である。図４はＣＣＤ２６からの画像データに対してラインごとに信号処理するライン処理回路１００であり、上述した画像処理を行う。図４のライン処理回路１００は、Ａ／Ｄ変換回路２８から出力されるＲ，Ｇ，Ｂ信号に対して後述する各種の信号処理を行なうものであり、欠陥補正回路１０１と、デジタルクランプ回路１０２と、黒レベル回路１０３と、γ補正回路１０４と、平均値算出回路１０５と、ゲイン回路１０６と、ホワイトバランス調整回路１０７とを有する。
【００２２】
欠陥補正回路１０１は、ＣＣＤ２６の出力に対して１ラインごとに点順次で、欠陥のある画素（あらかじめ特定されてそのアドレスがレジスタにセットされている）からのデータを補正するものである。デジタルクランプ回路１０２は、ＣＣＤ２６の出力に対して１ラインごとに点順次で、いわゆるオプティカルブラックとして使用する複数の画素データの加重平均をそのラインの各画素データから減算するものである。
【００２３】
黒レベル回路１０３は、ＣＣＤ２６の出力に対して１ラインごとに点順次で、あらかじめ決定されてメインＣＰＵ２１のレジスタに格納されている値をＲ，Ｇ，Ｂ信号に対して加算する。γ補正回路１０４は、ＣＣＤ２６の出力に対して１ラインごとに点順次で、階調ルックアップテーブルを用いてγ補正を行なう。
【００２４】
次に、ホワイトバランス調整について説明する。平均値算出回路１０５は、γ補正後に一旦バッファメモリ３０へ格納された全領域の画像データの中から、たとえば、焦点検出領域として使用したエリアを中心とした５１２×５１２の領域の画像データを抽出して、Ｒ信号用のホワイトバランス調整用ゲインＲgainとＢ信号用のホワイトバランス調整用ゲインＢgainをたとえば、次式(１)、(２)により算出する。このゲインＲgainとＢgainはメインＣＰＵ２１のレジスタに格納される。たとえば、５１２×５１２の画素領域上にカラーフィルタが配置されている場合、Ｒ，Ｇ，Ｂ信号の平均値を(３）〜(５)式で算出し、(１)、(２)式に示すように、Ｇ信号の平均値Ｇave とＲ信号の平均値Ｒaveとの比およびＧ信号の平均値ＧaveとＢ信号の平均値Ｂaveとの比からホワイトバランス調整用ゲインＲgainとＢgainを算出する。
【００２５】
【数１】
Ｒgain＝Ｇave／Ｒave                  （１）
Ｂgain＝Ｇave／Ｂave                  （２）
ただし、Ｒave＝Ｒsum／Ｒpixel数     （３）
Ｇave＝Ｇsum／Ｇpixel数     （４）
Ｂave＝Ｂsum／Ｂpixel数     （５）
このような平均値方式によると、画像データのＲＧＢの各信号の階調の平均値を求めたことになり、経験的にホワイトバランスの調整結果（全体的なホワイトバランス）が良好となる。すなわち、画面の平均色温度を白に近づけるようにホワイトバランス調整用のＲゲインやＢゲインなどの調整値を決定し、このホワイトバランス調整値に基づいたホワイトバランス調整を行う。
【００２６】
ゲイン回路１０６は、バッファメモリ３０に格納されているＲ，Ｇ，Ｂ信号の各々に対し、ＣＣＤ２６の出力に対応した１ラインごとに点順次で上述したホワイトバランス調整を行うようにホワイトバランス調整用ゲインをホワイトバランス調整回路１０７へ設定する。これらの設定時には、Ｇ信号に対して行なうＣＣＤ２６の感度のばらつき補正と、Ｒ，Ｂ信号に対して行なうＣＣＤ２６の感度比のばらつき補正とを含めて行う。
【００２７】
ホワイトバランス調整回路１０７は、ゲイン回路１０６で設定されたホワイトバランス調整係数であるＲゲインとＢゲインをＲ，Ｂ信号に掛合わせる。この実施の形態では、このホワイトバランス調整回路１０７で補正に使用するホワイトバランス調整値、すなわち、ホワイトバランス調整係数であるＲゲインとＢゲインをマニュアルで設定できるようにしている。
【００２８】
図５を参照して焦点検出／調整装置３６の構成およびこの焦点検出／調整装置３６による焦点検出動作の原理について説明する。焦点検出／調整装置３６はメインＣＰＵ２１により制御され、赤外光カットフィルタ７００、視野マスク９００、フィールドレンズ３００、開口マスク４００、再結像レンズ５０１および５０２、そしてイメージセンサ３１０などで構成される。領域８００は撮影ズームレンズ２（図１）の射出瞳である。また、領域８０１、８０２は、開口マスク４００に穿設される開口部４０１、４０２をフィールドレンズ３００によって領域８００上に逆投影した像の存在する領域である。なお、赤外光カットフィルタ７００の位置は視野マスク９００の右側でも左側でも構わない。領域８０１、８０２を介して入射した光束は、ＣＣＤ等価面６００上で焦点を結んだ後、赤外光カットフィルタ７００、視野マスク９００、フィールドレンズ３００、開口部４０１、４０２および再結像レンズ５０１、５０２を通りイメージセンサアレイ３１０ａ、３１０ｂ上に結像する。
【００２９】
これらイメージセンサアレイ３１０ａ、３１０ｂ上に結像した一対の被写体像は、撮影ズームレンズ２がＣＣＤ等価面６００よりも前（被写体側）に被写体の鮮鋭像を結ぶいわゆる前ピン状態では互いに近づき、逆にＣＣＤ等価面６００よりも後に被写体の鮮鋭像を結ぶいわゆる後ピン状態では互いに遠ざかる。そして、イメージセンサアレイ３１０ａ、３１０ｂ上に結像した被写体像が所定の間隔となるときに被写体の鮮鋭像はＣＣＤ等価面６００上に位置する。したがってこの一対の被写体像をイメージセンサアレイ３１０ａ、３１０ｂで光電変換して電気信号に換え、これらの信号を演算処理して一対の被写体像の相対距離を求めることにより撮影ズームレンズ２の焦点調節状態、つまり撮影ズームレンズ２により鮮鋭な像が形成される位置が、ＣＣＤ等価面６００に対してどの方向にどれだけ離れているか、つまりずれ量が求められる。図５において焦点検出領域は、イメージセンサアレイ３１０ａ、３１０ｂが再結像レンズ５０１、５０２によって逆投影されて、ＣＣＤ等価面６００の近傍で重なった部分に相当する。こうして上記撮影画面内の焦点検出領域について焦点を検出する。
【００３０】
−撮影モードのメニュー設定−
図６はデジタルスチルカメラ１のＬＣＤモニター３に表示される撮影モードのメニュー設定画面を説明する図である。撮影モードにおいて図１のメニューボタン１６が押されると、図６(a)のようなメニュー設定画面がデジタルスチルカメラ１のＬＣＤモニター３に表示される。選択ダイヤル１７またはズーム切換えボタン１４（メニュー設定モード中は選択スイッチとして機能する）が操作されることにより、たとえば、メニューの中から「ＡＦ動作」の項目が選択され、レリーズボタン９（メニュー設定モード中は選択決定スイッチとして機能する）が押されて「ＡＦ動作」が選択決定されると、図６(b)のようなＡＦ動作モードに関するメニュー設定画面がＬＣＤモニター３に表示される。ＡＦ動作モードとは前述したように、メインスイッチ８によりカメラが撮影モードに設定されているとき焦点検出動作が常に行われる「コンティニュアスＡＦモード」と、半押しスイッチ２２がオン操作されたときにのみ行われる「シングルＡＦモード」のことである。
【００３１】
選択ダイヤル１７またはズーム切換えボタン１４が操作されることにより、たとえば、メニューの中から「シングルＡＦモード」の項目が選択される。レリーズボタン９が押されて「シングルＡＦモード」の項目が選択決定されると、半押しスイッチ２２がオン操作されたときにのみ焦点検出が行われる動作モードが選択される。この設定内容は、再びメニューボタン１６が押されることによりメニュー設定モードから撮影モードに復帰したときから有効になる。
【００３２】
以上説明したような撮影モードのメニュー設定は、上述したＡＦモードの他に露出補正、測光方式およびホワイトバランス調整値の選択などの撮影機能に関するカメラ動作を詳細に設定するために使用されるものである。また、後述するカメラの消費電力を抑えるための省電力モードのオン／オフ設定と、撮影時にＬＣＤモニター３に表示されるフリーズ画面表示をスルー画面表示に切換えるまでの時間を所定よりも長く延長する設定も、撮影モードメニュー設定の中で行われる。このメニュー設定モード中は、ＬＣＤモニター３に図６のようなメニュー画面が表示され、撮影ズームレンズ２を通して撮像している被写体像の画面は表示されない。また、測光装置３８による測光結果に基づく露出調整（ＡＥ）と焦点検出／調整装置３６による焦点検出（ＡＦ）も行われない。
【００３３】
−再生モード−
メインスイッチ８を再生モード位置に切換え操作すると、デジタルスチルカメラ１は電源オンとともに再生モードに切換えられる。記録媒体３４に画像データが既に記録されている場合、記録されている画像データはメインＣＰＵ２１に読み込まれる。読み込まれたデータはバッファメモリ３０に送られたのち、画像処理ＣＰＵ２９に制御される表示画像作成回路３１により表示用の画像データに処理され、図７に示すような再生画像７０としてＬＣＤモニター３に表示される。図７において、７１は画質モードボタン１３により設定されている圧縮率設定の状態、７２は表示画像のコマ番号、７３は表示画像データのファイル名、７４は撮影されたタイム情報である。
【００３４】
記録媒体３４に画像データが複数記録されている場合は、ズーム切換えボタン１４（再生モード中はコマ送りスイッチとして機能する）が操作されることにより、現在表示されている表示画像の１コマ前の画像データ、および１コマ後の画像データが読み出されてＬＣＤモニター３に表示される。この再生モード中は、ＬＣＤモニター３に図７のような再生画像が表示されるが、撮影ズームレンズ２を通して撮像している被写体像の画面は表示されない。また、測光装置３８による測光結果に基づく露出調整（ＡＥ）と焦点検出／調整装置３６による焦点検出（ＡＦ）も行われない。
【００３５】
−再生モードのメニュー設定−
図８はデジタルスチルカメラ１のＬＣＤモニター３に表示される再生モードのメニュー設定画面を説明する図である。再生モードにおいて図１のメニューボタン１６が押されると、図８(a)のようなメニュー設定画面がデジタルスチルカメラ１のＬＣＤモニター３に表示される。選択ダイヤル１７またはズーム切換えボタン１４（メニュー設定モード中は選択スイッチとして機能する）が操作されることにより、たとえば、メニューの中から「削除」の項目が選択され、レリーズボタン９（メニュー設定モード中は選択決定スイッチとして機能する）が押されて「削除」が選択決定されると、図８(b)のような削除に関するメニュー設定画面がＬＣＤモニター３に表示される。この場合の削除とは、記録媒体３４に記録されている画像データを削除する処理のことである。
【００３６】
選択ダイヤル１７またはズーム切換えボタン１４が操作されることにより、たとえば、メニューの中から「選択画面削除」の項目が選択される。レリーズボタン９が押されて「選択画面削除」が選択決定されると、不図示の選択画面で削除する画像の選択が行われ、選択された画像データを削除する処理が行われる。
【００３７】
以上説明したような再生モードのメニュー設定は、上述した画像削除の他に縮小画像を複数表示するサムネイルや、画像データを１コマずつ所定の時間間隔で表示するスライドショーなどの再生機能に関するカメラ動作を詳細に設定するために使用されるものである。このメニュー設定モード中は、ＬＣＤモニター３に図８のようなメニュー画面が表示され、撮影ズームレンズ２を通して撮像している被写体像の画面は表示されない。また、測光装置３８による測光結果に基づく露出調整（ＡＥ）と焦点検出／調整装置３６による焦点検出（ＡＦ）も行われない。
【００３８】
続いて、以上説明したように動作が行われるデジタルスチルカメラ１の省電力動作について説明する。省電力動作は、メインＣＰＵ２１を所定の条件のもとで待機状態（スリープ状態）にすることにより行われる。すなわち、デジタルスチルカメラ１の動作モードにより、ＬＣＤモニター３に撮影ズームレンズ２を通して撮像されている被写体像の画面が表示されないときは、メインＣＰＵ２１により制御が行われる測光装置３８、焦点検出／調整装置３６、リアルタイムクロック３５、記録媒体３４、閃光装置４の各装置とメインＣＰＵ２１との間で送受される命令やデータの送受信を一時停止させて、メインＣＰＵ２１自身や上記の各装置で消費される消費電力を抑制する。また、上記の装置が待機状態に設定可能なときは、メインＣＰＵ２１とともに待機状態にする。
【００３９】
メインＣＰＵ２１は撮影モードにおいて使用され、撮影モードのメニュー設定時は使用されない。また、メインＣＰＵ２１は、再生モードにおいて記録された画像データが記録媒体３４から読み出されるときに使用され、その他の動作、および再生モードのメニュー設定時は使用されない。したがって、メインＣＰＵ２１は、上述したデジタルスチルカメラ１の動作モードに基づいて待機状態にするか否かが判定され、判定結果に基づいて待機状態にされる。
【００４０】
図９は、上記のメインＣＰＵ２１を待機状態にするか否かを判定する処理を説明するフローチャートである。このプログラムはメインＣＰＵ２１内で実行される。判定処理の始めに待機フラグをオフし（ステップＳ１）、ステップＳ２で再生モードに設定されているか否かをチェックする。ステップＳ２において再生モードに設定されていると判定されたときは、デジタルスチルカメラ１の所定の操作ボタンが最後に操作されてから、所定の時間を経過しているか否かをチェックする（ステップＳ３）。所定の時間が経過していないと判定されたときは、メインＣＰＵ２１を待機状態にする必要なしと判定して、本判定処理を終了する。
【００４１】
一方、所定の時間が経過したと判定されたときは待機フラグをオンするためにステップＳ１０へ進む。ステップＳ２において、再生モードではなく撮影モードに設定されていると判定されたときはステップＳ４へ進む。ステップＳ４では、フリーズ画面の表示が所定の表示時間を延長して表示されているか否かを判定する。フリーズ画面の延長表示については、上述したように、図６の撮影モードの設定メニュー画面の中で設定される機能である。
【００４２】
設定メニューにおいてフリーズ画面が所定の時間よりも長く延長表示するように設定され、この設定に基づいてフリーズ画面が所定の時間よりも長く延長表示されているとステップＳ４において判定されたときは、撮影した画像データを記録媒体３４へ記録する動作が終了しているので、待機フラグをオンするためにステップＳ１０へ進む。一方、フリーズ画面が所定の時間よりも長く延長表示されていないと判定されたときは、撮影した画像データを記録媒体３４へ記録する動作が終了していないので待機フラグをオンしない。フリーズ画面が所定の時間よりも長く延長表示されていないという判定は、フリーズ画面が所定の時間内で表示されているときと、スルー画面が表示されているときを包含するものである。ステップＳ５は閃光装置充電中か否かをチェックする。ステップＳ５で閃光装置が充電中と判定されたときは、待機フラグをオンするためにステップＳ１０へ進み、充電中と判定されないときはステップＳ６へ進む。
【００４３】
ステップＳ６において、図６の撮影モードの設定メニュー画面によりあらかじめ省電力モードが設定されているか否かをチェックする。省電力モードは、メインＣＰＵ２１が待機状態にされる条件を与えるために設けられ、省電力モードが設定されているときに所定の条件下でメインＣＰＵ２１が待機状態にされる。上記のステップＳ６で省電力モードが設定されていないと判定されたときは、メインＣＰＵ２１を待機状態にする必要なしと判定して本判定処理を終了する。一方、省電力モードが設定されていると判定されたときは、ステップＳ７に進み、図６のような撮影モードの設定メニューが起動されているか否かをチェックする。
【００４４】
ステップＳ７において撮影モードの設定メニューが起動されていると判定されたときは、待機フラグをオンするためにステップＳ１０へ進み、撮影モードの設定メニューが起動されていないと判定されたときはステップＳ８へ進む。ステップＳ８では、あらかじめ上述した図６の撮影モードの設定メニュー画面において、焦点検出を行うＡＦ動作モードが「シングルＡＦモード」に設定されているか否かをチェックする。「シングルＡＦモード」に設定されていない、すなわち、「コンティニュアスＡＦモード」に設定されていると判定されたときは、常に焦点検出動作をする必要があるので、メインＣＰＵ２１を待機状態にする必要なしと判定して本判定処理を終了する。一方、「シングルＡＦモード」に設定されていると判定されたときはステップＳ９に進み、スルー画面が表示されているか否かをチェックする。
【００４５】
ステップＳ９では、スルー画面が表示されているか否かをチェックする。スルー画面が表示されていないと判定されたときは、メインＣＰＵ２１を待機状態にする必要なしと判定して本判定処理を終了する。一方、スルー画面が表示されていると判定されたときは、ステップＳ１０に進み、待機フラグをオンして本判定処理を終了する。メインＣＰＵ２１を待機状態にさせる処理は、後述するデジタルカメラ１のメイン処理において行われる。つまり、サブルーチンとして用意される本判定処理をメイン処理から一定時間ごとに、あるいは、スイッチ操作が検出されるごとに行い、本処理により設定された待機フラグのオン／オフに基づいて待機状態への移行、解除を行う。すなわち、待機フラグがオンになると待機状態にして、待機フラグがオフになると待機状態を解除して通常の動作状態に復帰させる。
【００４６】
−メイン処理−
デジタルカメラ１の撮影モードにおいてメインＣＰＵ２１で行われるメイン処理について、図１０のフローチャートを参照して説明する。図１０は、本実施の形態によるデジタルスチルカメラ１の撮影モードのメイン処理を説明するフローチャートである。デジタルカメラ１のメインスイッチ８（図１）が撮影モード側に操作されると、電源がオンされて図１０のメイン処理プログラムが起動される。始めにステップＳ２０１でメニューボタン１６が操作されているか否かがチェックされ、メニューボタン１６が操作されていると判定されたときはステップＳ２０２のメニュー処理２５０を行う。そして、メニュー処理２５０の処理が終了するとステップＳ２０１に戻る。一方、ステップＳ２０１においてメニューボタン１６が操作されていないと判定されたときは、ステップＳ２０３へ進む。
【００４７】
ステップＳ２０３では、ズーム切換えボタン１４が操作されているか否かのチェックが行われ、操作されていると判定されたときはズーム切換えボタン１４の操作に基づいて、ズームレンズ駆動装置３７の制御が行われて撮影ズームレンズ２の焦点距離が調整される（ステップＳ２０４）。そして、焦点距離の調整が終了するとステップＳ２０１に戻る。一方、ズーム切換えボタン１４が操作されていないと判定されたときは、ステップＳ２０５において後述するＡＥ／ＡＦロックフラグをチェックする。ＡＥ／ＡＦロックフラグがオフされていると判定されたときは、ステップＳ２０６において省電力フラグをチェックする。省電力フラグは、省電力モードがオンされているか否かを示すフラグである。一方、ステップＳ２０５において、ＡＥ／ＡＦロックフラグがオンされていると判定されたときは、後述するステップＳ２１４へ進む。
【００４８】
ステップＳ２０６で省電力フラグがオンされていると判定されたときはステップＳ２０７へ進み、焦点検出を行うＡＦ動作モードの設定状態を示すシングルＡＦモードフラグをチェックする。ステップＳ２０７でシングルＡＦモードフラグがオンされていると判定されたときは、ステップＳ２０８で後述する画像前処理２７０を行う。一方、上記のステップＳ２０６において省電力フラグがオフされていると判定されたときと、ステップＳ２０７においてシングルＡＦモードフラグがオフされていると判定されたときは、ステップＳ２１３において、測光装置３８（図３）の測光結果に基づく露出調整（ＡＥ）と焦点検出／調整装置３６による焦点検出（ＡＦ）が行われる。ＡＥ動作とＡＦ動作が終了すると、ステップＳ２０８の画像前処理２７０を行う。
【００４９】
ステップＳ２０８の画像前処理が終了されると、ＬＣＤモニター３にスルー画面が表示される（ステップＳ２０９）。ステップＳ２１０で半押しスイッチ２２が操作されているか否かが判定され、操作されていると判定されたときは撮影用のＡＥ動作とＡＦ動作が行われる。ＡＥ動作とＡＦ動作が終了すると、両動作の結果がメインＣＰＵ２１に保持されてロックフラグがオンされ（ステップＳ２１２）、ステップＳ２０１に戻る。上記のロックフラグは、ＡＥ動作とＡＦ動作の両動作結果がメインＣＰＵ２１に保持されていることを示すフラグである。
【００５０】
ステップＳ２１４では全押しスイッチ２３が操作されているか否かがチェックされる。全押しスイッチ２３が操作されていると判定されたときは、ステップＳ２１５の画像前処理２７０を行う。画像前処理２７０は、ステップＳ２０８で行われる処理と同じである。
【００５１】
ステップＳ２１５の画像前処理２７０が終了されると、ＬＣＤモニター３にフリーズ画面が表示される（ステップＳ２１６）。続いて後述する画像後処理２８０を行い（ステップＳ２１７）、フリーズ画面の延長表示の有無を示す延長表示フラグがオンされているか否かをチェックする（ステップＳ２１８）。延長表示フラグがオフされていると判定されたときは、ロックフラグをオフして（ステップＳ２１９）ステップＳ２０１に戻る。
【００５２】
一方、ステップＳ２１８で延長表示フラグがオンされていると判定されたときは、ステップＳ２２０でタイムアップの判定処理が行われる。タイムアップが判定されると、ステップＳ２１９でロックフラグをオフさせる。すなわち、ステップＳ２２０におけるタイムアップ判定処理の時間が、画像後処理２８０のあとでフリーズ画表示が延長される時間に相当する。
【００５３】
上記のステップＳ２１４で全押しスイッチ２３が操作されていないと判定されたときについて説明する。ステップＳ２２１でロックフラグをオフし、オートパワーオフ処理中か否かをチェックする（ステップＳ２２２）。オートパワーオフ処理中でないと判定されたときはステップＳ２０１へ戻り、オートパワーオフ処理中と判定されたときはステップＳ２２３で所定のオートパワーオフ処理を行う。オートパワーオフ処理は、所定の条件において自動的に電源がオフされる処理である。
【００５４】
次に、上記のメニュー処理２５０について、図１１のフローチャートを参照して説明する。ステップＳ２５１で図６のようなメニュー表示が行われ、その中でフリーズ画面の延長表示を行う設定がされたか否かが判定される（ステップＳ２５２）。フリーズ画面の延長表示を行うように設定されたと判定されたときは、延長表示フラグがオンされる（ステップＳ２５３）。一方、ステップＳ２５２でフリーズ画面の延長表示をしないように設定されたと判定されたときは、延長表示フラグがオフされる（ステップＳ２５４）。
【００５５】
ステップＳ２５５においてＡＦ動作がシングルＡＦモードに設定されたか否かを判定する。シングルＡＦモードに設定されたと判定されたときは、シングルＡＦモードフラグがオンされる（ステップＳ２５６）。一方、ステップＳ２５５でコンティニュアスＡＦモードが設定されたと判定されたときは、シングルＡＦモードフラグがオフされる（ステップＳ２５７）。続くステップＳ２５８では省電力モードに設定されたか否かが判定される。省電力モードに設定されたと判定されたときは、省電力フラグがオンされる（ステップＳ２５９）。一方、ステップＳ２５８で省電力モードに設定されていないと判定されたときは、省電力フラグがオフされる（ステップＳ２６０）。
【００５６】
ステップＳ２６１では他の撮影メニュー項目が設定されたか否かが判定される。他の撮影メニュー項目が設定されたと判定されたときは、設定内容に基づいた所定の設定が行われ（ステップＳ２６２）、他の撮影メニュー項目が設定されないと判定されたときはメニュー処理を終了する。
【００５７】
次に、上記の画像前処理２７０について、図１２のフローチャートを参照して説明する。ステップＳ２７１でＣＣＤ２６（図３）に被写体像の明るさに応じた電荷が蓄積され、ステップＳ２７２で蓄積された電荷が吐き出されてアナログ信号処理回路２７へ入力される。アナログ信号処理回路２７でアナログ信号処理が行われ（ステップＳ２７３）、Ａ／Ｄ変換回路２８でアナログ信号からデジタル信号に変換される（ステップＳ２７４）。デジタル化された画像信号は、画像処理ＣＰＵ２９において輪郭補償やガンマ補正、ホワイトバランス調整などの画像処理が行われ（ステップＳ２７５）、画像前処理２７０が終了する。
【００５８】
続いて画像後処理２８０について、図１３のフローチャートを参照して説明する。画像前処理が行われた画像データが圧縮回路３２（図３）に送られ、ＪＰＥＧ方式で所定の比率にデータ圧縮される（ステップＳ２８１）。そして、圧縮された画像データはメインＣＰＵ２１により所定の画像データ名を付与されて記録媒体３４に記録され（ステップＳ２８２）、画像後処理２８０が終了する。
【００５９】
この実施の形態の作用効果について説明する。
（１）デジタルスチルカメラ１を複数の内部ブロックに分け、それぞれにＣＰＵ２１、２９、４１を設けて制御されるようにしたので、１つのＣＰＵおよび、そのＣＰＵに関連するブロックを待機状態にしてもカメラ全体の動作が停止されることがない。その結果、カメラの動作状態に応じてＣＰＵおよび関連するブロックを待機状態にできるから、カメラを停止させることなく消費電力を抑えることが可能になる。
（２）再生モード（ステップＳ２が肯定判定）では、画像データの読み出し、削除などのための所定の操作ボタンが最後に操作されてから所定の時間が経過したときに（ステップＳ３が肯定判定）、この判定に基づいてメインＣＰＵ２１および関連するブロックを待機状態にするようにした。この結果、被写体像の画面表示が不要なときに焦点検出や測光動作、並びにそれに付随するメインＣＰＵ２１内部の処理が行われることがなく、消費電力を抑えることができるとともに、カメラが連続操作されているときに待機状態にされることが防止される。
（３）各スイッチからの入力信号を制御するスイッチ制御ＣＰＵ４１は待機状態にしないようにしたから、上記（２）による待機状態中にＣＰＵ４１によりスイッチが操作されたと判定されたときは、待機状態にあるＣＰＵ２１を復帰させることができる。この結果、スイッチが操作されると、直ちに操作されたスイッチに対応した動作を行わせることが可能になる。
（４）フリーズ画面の延長表示中において（ステップＳ４が肯定判定）、メインＣＰＵ２１を待機状態にするようにしたので、スルー画面が不要なときに焦点検出や測光動作、並びにそれに付随するメインＣＰＵ２１内部の処理が行われることがなく、消費電力を抑えることができる。
（５）閃光装置充電中（ステップＳ５が肯定判定）はメインＣＰＵ２１を待機状態にするようにしたので、閃光装置発光用の充電動作のために電力が必要なときに焦点検出や測光動作、並びにそれに付随するメインＣＰＵ２１内部の処理が行われることがなく、省電力となるとともに閃光装置充電時間を短縮することができる。とくに、電池容量が低減しているときに有効である。
（６）省電力モードオン（ステップＳ６が肯定判定）のとき撮影モードのメニュー設定時（ステップＳ７で肯定判定）はメインＣＰＵ２１を待機状態にするようにしたので、スルー画面が不要なときに焦点検出や測光動作、並びにそれに付随するメインＣＰＵ２１内部の処理が行われることがなく、消費電力を抑えることができる。
（７）省電力モードオン（ステップＳ６が肯定判定）でシングルＡＦモード動作時（ステップＳ８が肯定判定）は、スルー画面表示中（ステップＳ９が肯定判定）にメインＣＰＵ２１を待機状態にするようにした。この結果、半押しスイッチ２２が操作される前はメインＣＰＵ２１が待機状態にされるから焦点検出や測光動作が行われることがなく、消費電力を抑えることができる。
（８）省電力モードを設け、上記の（６）、（７）の動作は省電力モードがオンのときに行われるようにしたから、上記の動作が撮影者の意に反して行われることを防止する効果も奏する。
【００６０】
上述したカメラでは、ＡＦ動作のコンティニュアスＡＦモードとシングルＡＦモードとの切換え設定、省電力モードのオン／オフ切換え設定、フリーズ画面の延長表示に関する設定を設定メニュー画面の中で行うようにしたが、カメラにこれらの設定内容を切換えるための切換えスイッチを設けて行うようにしてもよい。
【００６１】
なお、上述したカメラでは、カメラの動作を行うための各回路ブロックを制御する３つのＣＰＵを設け、そのうち１つのＣＰＵを待機状態にするようにしたが、各回路ブロックごとにさらに多くのＣＰＵを設け、カメラの動作に応じて複数のＣＰＵを待機状態にしてもよい。あるいは、１つのＣＰＵでカメラの全回路ブロックが制御されるように構成し、回路ブロックごとに待機状態に設定可能にして、カメラの動作に応じて１つまたは複数の回路ブロックを待機状態にするようにしてもよい。
【００６２】
また、上記の説明では、フリーズ画面が所定の時間よりも長く延長表示されるフリーズ画面の表示延長機能を備えたカメラについて説明したが、このようなフリーズ画面の表示延長機能を備えていないカメラでも、フリーズ画面の表示時間を切換えられるようにフリーズ画面の表示時間切換え機能を備えている場合は、撮影した画像データの記録動作が終了したあとも引き続きフリーズ画面を表示中のときはメインＣＰＵ２１を待機状態にすればよい。
【００６３】
さらにまた、上記の説明では、閃光装置充電中はメインＣＰＵ２１を待機状態にするようにしたが、ＬＣＤモニター３の表示をオフするようにしてもよい。さらに、画像処理ＣＰＵ２９も待機状態にすれば、電池の残容量が低下した場合に閃光装置充電時間を短縮することができる。
【００６４】
加えて、省電力モードは任意に設定できるようにしたが、焦点検出（ＡＦ）動作モードが「シングルＡＦモード」に設定されることにより、省電力モードに設定されたときと同様の処理を行うようにしてもよい。
【００６５】
以上の説明では、レンズ交換ができないデジタルスチルカメラについて説明したが、一眼レフデジタルスチルカメラ、動画像も取込めるデジタルビデオカメラにも本発明を適用できる。
【００６７】
【発明の効果】
本発明によるデジタルカメラでは、 操作入力信号を常時受け付けながら消費電力を抑えることができる。
【図面の簡単な説明】
【図１】一実施の形態によるデジタルスチルカメラの収納時、および携帯時の外観を示す図で(a)が上から見た図、(b)が後ろから見た図である。
【図２】図２は図１のカメラの通常撮影時の外観を示す図で(a)が前から見た図、(b)が上から見た図、(c)が後ろから見た図である。
【図３】一実施の形態によるデジタルスチルカメラの回路ブロックを示す図である。
【図４】図３に示した信号処理系統のうちライン処理を行う回路を説明するブロック図である。
【図５】焦点検出／調整装置を説明する図である。
【図６】撮影モードのメニュー設定画面を説明する図であり、(a)撮影メニュー画面、(b)ＡＦ動作設定画面である。
【図７】再生モードを説明する図であり、画像データ読み出し後のモニター画面である。
【図８】再生モードのメニュー設定画面を説明する図であり、(a)再生メニュー画面、(b)削除設定画面である。
【図９】メインＣＰＵ２１を待機状態にするか否かを判定する処理を説明するフローチャートである。
【図１０】撮影モードのメイン処理を説明するフローチャートである。
【図１１】メニュー処理を説明するフローチャートである。
【図１２】画像前処理を説明するフローチャートである。
【図１３】画像後処理を説明するフローチャートである。
【符号の説明】
１…デジタルスチルカメラ、２…撮影ズームレンズ、３…ＬＣＤモニター、４…閃光装置、８…メインスイッチ、９…レリーズボタン、１１…閃光撮影モードボタン、１４…ズーム切換えボタン、１６…メニューボタン、１７…選択ダイヤル、２１…メインＣＰＵ、２２…半押しスイッチ、２３…全押しスイッチ、２６…ＣＣＤ、２９…画像処理ＣＰＵ、３１…表示画像作成回路、３２…圧縮回路、３４…記録媒体、３５…リアルタイムクロック、３６…焦点検出／調整装置、３７…ズームレンズ駆動装置、３８…測光装置、４１…スイッチ制御ＣＰＵ
【図１】
0004196466.tif 000002
【図２】
0004196466.tif 000003
【図３】
0004196466.tif 000004
【図４】
0004196466.tif 000005
【図５】
0004196466.tif 000006
【図６】
0004196466.tif 000007
【図７】
0004196466.tif 000008
【図８】
0004196466.tif 000009
【図９】
0004196466.tif 000010
【図１０】
0004196466.tif 000011
【図１１】
0004196466.tif 000012
【図１２】
0004196466.tif 000013
【図１３】
0004196466.tif 000014